(57)【要約】    【課題】ベースフィルム上の１層目の絵柄と２層目の絵柄が完全に合致しなくとも、不良品とならないようにする。    【解決手段】透明な樹脂製ベースフィルム１の裏面１ａには、ＦＭスクリーンを形成した刷版を用いて、ＵＶオフセット印刷機で、第１の絵柄層２が印刷されている。この第１の絵柄層２の絵柄はベースフィルム１の表面１ｂ側から見て正像に見えるように印刷され、その上には白色インキ３が該第１の絵柄層２を覆うように印刷されている。前記白色インキ３の上には、前記第１の絵柄層２と同一の絵柄を、前記第１の絵柄層２を印刷した時の見当合わせ用トンボ４に重ねて印刷し、第２の絵柄層５を設ける。【選択図】図１
0003102744.tif 000002
【実用新案登録請求の範囲】
【請求項１】
透明の樹脂製ベースフィルムの裏面に、ＦＭスクリーンを用いて第１の絵柄層を表面から見て正像に見えるようにオフセット印刷をし、その上に白色インキを印刷又は塗布をし、更に第１の絵柄層の上にこれと同じ絵柄が重ね合わさるようにして第２の絵柄層をオフセット印刷したことを特徴とするバックライト型ディスプレイ用印刷物。
【請求項２】
前記第２の絵柄層の上に更に白色インキを印刷又は塗布したことを特徴とする請求項１に記載のバックライト型ディスプレイ用印刷物。
【請求項３】
透明又は半透明の樹脂製ベースフィルムの表面に、ＦＭスクリーンを用いて第１の絵柄層を表面から見て正像に見えるようにオフセット印刷をし、その上に白色インキを印刷又は塗布をし、更に白色インキの上から前記第１の絵柄層と同じ絵柄が重ね合わさるようにして第２の絵柄層をオフセット印刷したことを特徴とするバックライト型ディスプレイ用印刷物。
【請求項４】
透明又は半透明の樹脂製ベースフィルムの表面に、白色インキを印刷又は塗布し、その上にＦＭスクリーンを用いて第１の絵柄層を表面から見て正像に見えるようにオフセット印刷をし、その上に白色インキを印刷又は塗布をし、更に該白色インキの上から前記第１の絵柄層と同じ絵柄が重ね合わさるようにして第２の絵柄層をオフセット印刷したことを特徴とするバックライト型ディスプレイ用印刷物。  
【請求項５】
透明の樹脂製ベースフィルムの裏面に、ＦＭスクリーンを用いて第１の絵柄層を表面から見て正像に見えるようにオフセット印刷をし、該第１の絵柄層の上にこれと同じ絵柄が重ね合わさるようにして第２の絵柄層をオフセット印刷し、その上に白色インキを印刷又は塗布をしたことを特徴とするバックライト型ディスプレイ用印刷物。
【請求項６】
透明又は半透明の樹脂製ベースフィルムの表面に、白色インキを印刷又は塗布をし、その上にＦＭスクリーンを用いて第１の絵柄層を表面から見て正像に見えるようにオフセット印刷をし、該第１の絵柄層の上に同じ絵柄が重ね合わさるようにして第２の絵柄層をオフセット印刷したことを特徴とするバックライト型ディスプレイ用印刷物。
【請求項７】
透明又は半透明の樹脂製ベースフィルムの表面に、ＦＭスクリーンを用いて第１の絵柄層を表面から見て正像に見えるようにオフセット印刷をし、前記ベースフィルムの裏面に前記第１の絵柄層と同じ絵柄が重ね合わさるようにして第２の絵柄層をオフセット印刷したことを特徴とするバックライト型ディスプレイ用印刷物。
【請求項８】
前記第２の絵柄層の上に更に白色インキを印刷又は塗布したことを特徴とする請求項７に記載のバックライト型ディスプレイ用印刷物。
【考案の詳細な説明】
【技術分野】
【０００１】
本考案は、自動販売機の販売品目を表示するディスプレイ用フレーバーカード、ダミー缶、ライティングカップ等や、店頭ディスプレイ用ポスター等に使用するバックライト型ディスプレイ用印刷物に関する。
【背景技術】
【０００２】
従来、オフセット印刷にＦＭスクリーン（Frequency Modulation Screening）を使用することが行われている（例えば特許文献１参照）。また、ベースフィルムに同じ絵柄、文字等の印刷インキ層を重ねて印刷するようにしたディスプレイ用フィルム印刷物が知られている（例えば特許文献２参照）。透明又は半透明のベースフィルムに、同じ絵柄、文字等の印刷インキ層を重ねて印刷する従来のバックライト型のディスプレイ用印刷物は、製版スクリーンにＡＭスクリーン（Amplitude Modulation Screening）を使用している。
【特許文献１】特開２００１−８８４２２号公報
【特許文献２】第３０６５０９４号実用新案登録公報
【考案の開示】
【考案が解決しようとする課題】
【０００３】
従来の、透明又は半透明のベースフィルムに同じ絵柄、文字等の印刷インキ層を重ねて印刷するバックライト型のディスプレイ用印刷物は、オフセット印刷で耐褪色性に優れたディスプレイ用印刷物を作ることには成功しているが、その印刷方法は、重ね合わせる絵柄の印刷に微少なズレが生じると、絵柄の色調が変化したり、モアレが出たりするため、高度な印刷技術を要し、且つ不良品が多発し生産性が低いものであった。
【０００４】
この印刷のズレは最初の絵柄を印刷した時に、印刷用紙（透明又は半透明の樹脂製フィルム）の種類、厚さ、大きさ等で異なるが、印刷機のシリンダー間の印圧やインキを乾燥硬化させるためのＵＶ硬化装置の熱（約８７℃〜９８℃）で印刷用紙が約０．１〜０．５ｍｍ伸張し、２度目の絵柄を重ね刷りした時に伸展した絵柄の網点の重なり状態が一定せず、裏面からライトを照射して見るとその部分では色調が違って見える。また、見当のズレによりモアレが発生して品質の低下を来した。
【０００５】
本考案は、上記問題点を解決することを目的とするものである。
【課題を解決するための手段】
【０００６】
上記目的を達成するため本考案は、透明の樹脂製ベースフィルムの裏面に、ＦＭスクリーンを用いて第１の絵柄層を表面から見て正像に見えるようにオフセット印刷をし、その上に白色インキを印刷又は塗布をし、更に第１の絵柄層の上にこれと同じ絵柄が重ね合わさるようにして第２の絵柄層をオフセット印刷したものである。
また本考案は、透明の樹脂製ベースフィルムの裏面に、ＦＭスクリーンを用いて第１の絵柄層を表面から見て正像に見えるようにオフセット印刷をし、その上に白色インキを印刷又は塗布をし、更に第１の絵柄層の上にこれと同じ絵柄が重ね合わさるようにして第２の絵柄層をオフセット印刷し、前記第２の絵柄層の上に更に白色インキを印刷又は塗布したものである。
また本考案は、透明又は半透明の樹脂製ベースフィルムの表面に、ＦＭスクリーンを用いて第１の絵柄層を表面から見て正像に見えるようにオフセット印刷をし、その上に白色インキを印刷又は塗布をし、更に白色インキの上から前記第１の絵柄層と同じ絵柄が重ね合わさるようにして第２の絵柄層をオフセット印刷したものである。
また本考案は、透明又は半透明の樹脂製ベースフィルムの表面に、白色インキを印刷又は塗布し、その上にＦＭスクリーンを用いて第１の絵柄層を表面から見て正像に見えるようにオフセット印刷をし、その上に白色インキを印刷又は塗布をし、更に該白色インキの上から前記第１の絵柄層と同じ絵柄が重ね合わさるようにして第２の絵柄層をオフセット印刷したものである。
また本考案は、透明の樹脂製ベースフィルムの裏面に、ＦＭスクリーンを用いて第１の絵柄層を表面から見て正像に見えるようにオフセット印刷をし、該第１の絵柄層の上にこれと同じ絵柄が重ね合わさるようにして第２の絵柄層をオフセット印刷し、その上に白色インキを印刷又は塗布をしたものである。
また本考案は、透明又は半透明の樹脂製ベースフィルムの表面に、白色インキを印刷又は塗布をし、その上にＦＭスクリーンを用いて第１の絵柄層を表面から見て正像に見えるようにオフセット印刷をし、該第１の絵柄層の上に同じ絵柄が重ね合わさるようにして第２の絵柄層をオフセット印刷したものである。
また本考案は、透明又は半透明の樹脂製ベースフィルムの表面に、ＦＭスクリーンを用いて第１の絵柄層を表面から見て正像に見えるようにオフセット印刷をし、前記ベースフィルムの裏面に前記第１の絵柄層と同じ絵柄が重ね合わさるようにして第２の絵柄層をオフセット印刷したものである。
また本考案は、透明又は半透明の樹脂製ベースフィルムの表面に、ＦＭスクリーンを用いて第１の絵柄層を表面から見て正像に見えるようにオフセット印刷をし、前記ベースフィルムの裏面に前記第１の絵柄層と同じ絵柄が重ね合わさるようにして第２の絵柄層をオフセット印刷し、前記第２の絵柄層の上に更に白色インキを印刷又は塗布したものである。
【考案の効果】
【０００７】
本考案は、製版スクリーンを一般的なＡＭスクリーンを使わず、細かな網点で形成され配列も規則性がないＦＭスクリーンにすることにより、一層目の絵柄と二層目の絵柄が完全に合致しなくてもモアレが生じず又、色調の変化が生じにくいため、不良品も少なくなり生産性を上げることができる。
【考案を実施するための最良の形態】
【０００８】
以下に本考案の実施の形態を添付した図面を参照して詳細に説明する。
図１において、１は厚さ１００mｍのベースフィルムであり、透明なＰＥＴ（ポリエチレンテレフタート）により構成されている。前記ベースフィルム１の裏面１ａには、ＦＭスクリーンを形成した刷版を用いて、７色ＵＶオフセット印刷機で、Ｙ，Ｍ，Ｃ，Ｋの４色で構成した第１の絵柄層２が印刷されている。この第１の絵柄層２の絵柄はベースフィルム１の表面１ｂ側から見て正像に見えるように印刷され、その上には白色インキ３が該第１の絵柄層２を覆うように印刷されている。
【０００９】
前記白色インキ３の上には、前記第１の絵柄層２と同一の絵柄の第２の絵柄層５が、前記第１の絵柄層２を印刷した時の見当合わせ用トンボ４に重ねて、印刷されている。上記実施形態ではＣＴＰ出力の刷版を用いたが、製版フィルムから刷版をしたものでも良い。また、本実施形態は４色で絵柄を印刷したが、単色又は多色でも良い。上記印刷物は第１の絵柄層２と第２の絵柄層５は、図２中、点線で示す、ベースフィルム１の伸展によって、ベースフィルム１のくわえ尻側６は網点が完全には重なり合わないが色調は著しく変化していない製品となっている。
【００１０】
図３は、本考案の他の実施形態を示し、上記実施形態に示す印刷物に、第２の絵柄層５を覆うようにした、白色インキ７が印刷されている。このように構成することで、第１の実施形態の効果の他、白色インキ３，７が２層になるため、内部に設けられた蛍光灯等の光源から、ベースフィルム１の裏面１ａに照射される光の拡散効果が高まり、更に、光源の熱、光が絵柄に直接当たらず第２層目の絵柄層５の絵柄の褪色を遅延させることができる。
【００１１】
図４は本考案の他の実施形態を示し、透明なＰＥＴ製のベースフィルム１の裏面１ａに、ＦＭスクリーンを形成した刷版を用いて、７色ＵＶオフセット印刷機で、Ｙ，Ｍ，Ｃ，Ｋの４色で構成した第１の絵柄層２が印刷されている。この第１の絵柄層２の絵柄はベースフィルム１の表面１ｂ側から見て正像に見えるように印刷され、その上には、前記第１の絵柄層２を印刷した時の見当合わせ用トンボ（レジスターマーク）４に重ねて、前記第１の絵柄層２と同一の絵柄の第２の絵柄層５が印刷されている。
【００１２】
この第２の絵柄層５の上にはこの絵柄層を覆うようにした白色インキ３が印刷されている。ＦＭスクリーンはインキ濃度を上げても色が冴えて色調を変えずに忠実な再現ができる。これで絵柄層を２層重ねることによりインキの盛りが更に厚くなり、ベースフィルム１の裏面１ａ側から照明を当てても濃度があり表現力の強い絵柄を得ることができる。
【００１３】
上記いずれの実施形態もオフセット印刷工程を２度通しているため、ベースフィルム１は伸展していて厳密には網点が正確に重ならないが、ＡＭスクリーンと異なり、均一な大きさの微少な（２０ミクロン〜３５ミクロン）ドット（網点）で構成され、また、そのドットに規則性が無くランダムに配置されているため、ドットが完全に重なり合わなくても絵柄の色調に大きなムラが出難く、モアレも生じない。そのため、印刷不良になる枚数が削減でき、生産性の向上及びコストダウンが可能となった。なお、上記実施形態は、いずれも、ベースフィルムの裏面に印刷するものであるが、ベースフィルムの表面に印刷するようにしても良い。図５乃至図９はベースフィルムの表面に印刷した実施形態を示している。
【００１４】
図５に示すバックライト型ディスプレイ用印刷物は、透明又は半透明の樹脂製ベースフィルム１の表面１ｂに、ＦＭスクリーンを用いて第１の絵柄層２を表面から見て正像に見えるようにオフセット印刷をし、その上に白色インキ３を印刷又は塗布をし、更に白色インキ３の上から前記第１の絵柄層２と同じ絵柄を重ね合わさるようにして第２の絵柄層５をオフセット印刷したものである。
【００１５】
図６に示すバックライト型ディスプレイ用印刷物は、透明又は半透明の樹脂製ベースフィルム１の表面１ｂに、白色インキ３を印刷又は塗布をし、その上にＦＭスクリーンを用いて第１の絵柄層２を表面から見て正像に見えるようにオフセット印刷をし、該第１の絵柄層２の上に同じ絵柄が重ね合わさるようにして第２の絵柄層５をオフセット印刷したものである。
【００１６】
図７に示すバックライト型ディスプレイ用印刷物は、透明又は半透明の樹脂製ベースフィルム１の表面１ｂに、白色インキ３を印刷又は塗布し、その上にＦＭスクリーンを用いて第１の絵柄層２を表面１ｂから見て正像に見えるようにオフセット印刷をし、その上に白色インキ７を印刷又は塗布をし、更に該白色インキ７の上から前記第１の絵柄層２と同じ絵柄が重ね合わさるようにして第２の絵柄層５をオフセット印刷したものである。
【００１７】
図８に示すバックライト型ディスプレイ用印刷物は、透明又は半透明の樹脂製ベースフィルム１の表面１ｂに、ＦＭスクリーンを用いて第１の絵柄層２を表面から見て正像に見えるようにオフセット印刷をし、前記ベースフィルム１の裏面１ａに前記第１の絵柄層２と同じ絵柄が重ね合わさるようにして第２の絵柄層５をオフセット印刷したものである。
【００１８】
図９に示すバックライト型ディスプレイ用印刷物は、透明又は半透明の樹脂製ベースフィルム１の表面１ｂに、ＦＭスクリーンを用いて第１の絵柄層２を表面から見て正像に見えるようにオフセット印刷をし、前記ベースフィルム１の裏面１ａに前記第１の絵柄層２と同じ絵柄が重ね合わさるようにして第２の絵柄層５をオフセット印刷し、前記第２の絵柄層５の上に更に白色インキ３を印刷又は塗布したものである。
【図面の簡単な説明】
【００１９】
【図１】本考案に係るバックライト型ディスプレイ用印刷物の実施形態を示す断面図である。
【図２】本考案の説明図である。
【図３】本考案の他の実施形態を示す断面図である。
【図４】本考案の他の実施形態を示す断面図である。
【図５】本考案の他の実施形態を示す断面図である。
【図６】本考案の他の実施形態を示す断面図である。
【図７】本考案の他の実施形態を示す断面図である。
【図８】本考案の他の実施形態を示す断面図である。
【図９】本考案の他の実施形態を示す断面図である。
【符号の説明】
【００２０】
１      ベースフィルム
２      第１の絵柄層
３      白色インキ
４      トンボ（レジスターマーク）
５      第２の絵柄層
６      くわえ尻側
７      白色インキ
【図１】
0003102744.tif 000003
【図２】
0003102744.tif 000004
【図３】
0003102744.tif 000005
【図４】
0003102744.tif 000006
【図５】
0003102744.tif 000007
【図６】
0003102744.tif 000008
【図７】
0003102744.tif 000009
【図８】
0003102744.tif 000010
【図９】
0003102744.tif 000011